(57)【特許請求の範囲】
【請求項１】
基材（Ｓ）と、前記基材（Ｓ）上の、透明バインダー（Ｍ１、Ｍ２）中に配向顔料粒子（Ｐ１、Ｐ２）を含む第１（ｌ）および第２（２）の硬化コーティングの複数の集合的に見ることができるゾーンとを含む機構であって、前記第１（１）の硬化コーティングは、第１の曲面を模倣する顔料配向を有し、前記第２（２）の硬化コーティングは、前記第１の曲面とは異なる第２の曲面を模倣する顔料配向を有し、前記機構を通過する直線区域に沿って、前記第２（２）の硬化コーティングの少なくとも１つのゾーンが、前記第１（１）の硬化コーティングの２つのゾーンの間に隣接して配置され、
前記第１および第２のコーティングのいくつかの交互に並ぶゾーンの組み合わせを見ることで効果を奏し、
前記第１のコーティングのゾーン中の画像の、前記第２のコーティングの隣接して配置されるゾーン中の画像に対する相対的な動きが前記機構を傾斜させることで観察できるように、前記第１の曲面および前記第２の曲面のそれぞれの湾曲が互いに十分に異なっており、それらの画像が空間中の異なる面内で動くように見える、
ことを特徴とする機構。
【請求項２】
前記機構を通過する直線区域に沿って、前記第１（１）の硬化コーティングの前記２つのゾーンの少なくとも１つが、さらに、前記第２（２）の硬化コーティングの２つのゾーン内に隣接して配置される、請求項１に記載の機構。
【請求項３】
前記第１および前記第２の曲面が、以下の性質：ｉ）観察者に向かう正、または観察者から離れる負である湾曲の符号；ｉｉ）湾曲の量；ｉｉｉ）湾曲の軸；ｉｖ）円筒形、円錐形、楕円形、球形、または鞍形である湾曲の性質、の少なくとも１つで互いに異なる、請求項１または２に記載の機構。
【請求項４】
前記第１および前記第２のコーティングが、互いに並んで、および／または互いの表面上のいずれかに配置される、請求項１〜３のいずれか一項に記載の機構。
【請求項５】
前記基材が、紙基材、不透明または不透明化したポリマー基材、透明ポリマー基材、ならびに金属製基材からなる群から選択される、請求項１〜４のいずれか一項に記載の機構。
【請求項６】
前記第１（１）および前記第２（２）の硬化コーティングが、透明基材の表側および裏側にそれぞれ配置される、請求項１〜５のいずれか一項に記載の機構。
【請求項７】
前記第１および前記第２のコーティングと、配向顔料粒子を含む少なくとも１つのさらなるコーティングとの組み合わせを含む、請求項１〜６のいずれか一項に記載の機構。
【請求項８】
前記第１および／または前記第２の硬化コーティングが、幾何学的図形またはパターン、文字、文章、ロゴ、および画像からなる群から選択される表示の形態で存在する、請求項１〜７のいずれか一項に記載の機構。
【請求項９】
前記第１および／または前記第２の硬化コーティング中の前記配向顔料粒子が、強磁性またはフェリ磁性型の永久磁石材料または磁化可能な材料を含む磁性顔料粒子である、請求項１〜８のいずれか一項に記載の機構。
【請求項１０】
前記第１および／または前記第２の硬化コーティング中の前記配向顔料粒子が、フレーク状の磁性薄膜干渉顔料粒子を含む群から選択される、請求項１〜９のいずれか一項に記載の機構。
【請求項１１】
前記第１および／または前記第２の硬化コーティング中の前記配向顔料粒子（Ｐ）が、光学的に変化する磁性顔料粒子である、請求項１〜１０のいずれか一項に記載の機構。
【請求項１２】
前記第１および／または前記第２の硬化コーティングが、全誘電体または金属−誘電体界面設計を有する光学的に変化する薄膜干渉顔料、コーティングされた金属コア粒子、コーティングされた誘電体粒子、コレステリック液晶ポリマー顔料、エンボス加工されたホログラフィック顔料、およびそれらの混合物からなる群から選択される少なくとも１つのさらなる追加のカラーシフト顔料をさらに含む、請求項１〜１１のいずれか一項に記載の機構。
【請求項１３】
前記第１および／または前記第２の硬化コーティングが、染料および／または少なくとも１つのさらなる非カラーシフト顔料をさらに含む、請求項１〜１２のいずれか一項に記載の機構。
【請求項１４】
光学的に変化する顔料を含む組成物がコーティングされた領域と、光学的に変化する顔料を含まない組成物がコーティングされた領域との組み合わせを含む、請求項１〜１３のいずれか一項に記載の機構。
【請求項１５】
透明バインダー（Ｍ１、Ｍ２）中に顔料粒子（Ｐ１、Ｐ２）を含む第１（Ｃ１）および第２（Ｃ２）のコーティング組成物の複数の領域を基材（Ｓ）に塗布するステップと、第１の曲面を模倣するように、前記塗布された第１（Ｃ１）のコーティング組成物中の顔料粒子（Ｐ１）を配向させるステップと、前記第１の曲面とは異なる第２の曲面を模倣するように、前記塗布された第２（Ｃ２）のコーティング組成物中の顔料粒子（Ｐ２）を配向させるステップと、前記第１および前記第２のコーティング組成物を硬化させて、それぞれの位置および配向で固定された配向粒子を有する第１および第２の硬化コーティング（１、２）を得るステップとを含み、機構を通過する直線区域に沿って、前記第２（２）の硬化コーティングの少なくとも１つのゾーンが、前記第１（１）の硬化コーティングの２つのゾーンの間に隣接して配置されるように、第１（Ｃ１）および第２（Ｃ２）のコーティング組成物の前記領域が塗布される、請求項１〜１４のいずれか一項に記載の機構の製造方法。
【請求項１６】
前記第１（１）の硬化コーティングの前記２つのゾーンのさらに少なくとも１つが、前記第２の（２）硬化コーティングの２つのゾーン内に隣接して配置されるように、第１（Ｃ１）および第２（Ｃ２）のコーティング組成物の前記領域が塗布される、請求項１５に記載の方法。
【請求項１７】
前記第１および前記第２の曲面が、以下の性質：ｉ）観察者に向かう正、または観察者から離れる負である湾曲の符号；ｉｉ）湾曲の量；ｉｉｉ）湾曲の軸；ｉｖ）円筒形、円錐形、楕円形、球形、または鞍形である湾曲の性質、の少なくとも１つで互いに異なる、請求項１５または１６に記載の方法。
【請求項１８】
前記基材（Ｓ）が、紙基材、不透明または不透明化したポリマー基材、透明ポリマー基材、ならびに金属製基材からなる群から選択される、請求項１５〜１７のいずれか一項に記載の方法。
【請求項１９】
シルクスクリーン印刷、フレキソ印刷、およびグラビア印刷から選択される印刷方法により、対応するコーティング組成物を使用して、前記第１および前記第２のコーティングが塗布される、請求項１５〜１８のいずれか一項に記載の方法。
【請求項２０】
前記コーティング組成物が、ＵＶ硬化および電子線硬化から選択される放射線硬化用に配合され、それによって硬化される、請求項１５〜１９のいずれか一項に記載の方法。
【請求項２１】
前記第１および前記第２のコーティング組成物（Ｃ１、Ｃ２）が、透明基材（Ｓ）の表側および裏側にそれぞれ塗布される、請求項１５〜２０のいずれか一項に記載の方法。
【請求項２２】
前記第１および前記第２のコーティング組成物（Ｃ１、Ｃ２）中の前記顔料粒子（Ｐ１、Ｐ２）が、強磁性またはフェリ磁性型の永久磁石材料または磁化可能な材料を含む磁性顔料粒子であり、前記塗布された第１および第２のコーティング組成物（Ｃ１、Ｃ２）中の前記顔料粒子（Ｐ１、Ｐ２）を配向させるステップが、磁界の印加によって行われる、請求項１５〜２１のいずれか一項に記載の方法。
【請求項２３】
前記第１および／または前記第２のコーティング組成物（Ｃ１、Ｃ２）中の前記顔料粒子（Ｐ１、Ｐ２）が、フレーク状の真空蒸着された磁性薄膜干渉顔料粒子を含む群から選択される、請求項１５〜２２のいずれか一項に記載の方法。
【請求項２４】
前記第１および／または前記第２のコーティング組成物（Ｃ１、Ｃ２）中の前記顔料粒子（Ｐ１、Ｐ２）が、光学的に変化する磁性顔料粒子である、請求項１５〜２３のいずれか一項に記載の方法。
【請求項２５】
前記第２の硬化コーティング（２）の後に、前記第１の硬化コーティング（１）が形成される、すなわち塗布され、配向され、硬化される、またはその逆である、請求項１５〜２４のいずれか一項に記載の方法。
【請求項２６】
前記第１および前記第２のコーティングが、互いに並んで、および／または互いの表面上に塗布される請求項１５〜２５のいずれか一項に記載の方法。
【請求項２７】
前記第１の硬化コーティング（１）および前記第２の硬化コーティング（２）が、ａ）磁性顔料粒子または磁化可能な顔料粒子（Ｐ）を含むコーティング組成物（Ｃ）を基材（Ｓ）上に塗布するステップと；ｂ）第１の磁界を印加することによって前記第１の曲面に従って前記磁性顔料粒子または磁化可能な顔料粒子（Ｐ）を配向させるステップと；ｃ）第１の領域（Ａ１）中で前記塗布したコーティング組成物（Ｃ）を選択的に硬化させ、これによって磁性顔料粒子（Ｐ）をそれらの位置および配向で固定するステップと；ｄ）第２の磁界を印加することによって前記第２の曲面に従ってコーティング組成物（Ｃ）の未硬化部分の前記磁性顔料粒子または磁化可能な顔料粒子（Ｐ）を配向させるステップと；ｅ）第２の領域（Ａ２）で前記塗布したコーティング組成物（Ｃ）を硬化させ、これによって磁性顔料粒子（Ｐ）をそれらの位置および配向で固定するステップと、の以上の順序のステップによって１回の作業で形成される、請求項１５〜２４のいずれか一項に記載の方法。
【請求項２８】
透明バインダー（Ｍ）中に顔料粒子（Ｐ）を含むコーティング組成物の塗布、配向、および硬化の前記ステップを繰り返すことで、前記基材（Ｓ）および／または前記コーティング（１、２）の上にさらにコーティングが形成される、請求項１５〜２７のいずれか一項に記載の方法。
【請求項２９】
前記基材の底部から磁石を適用することによって、磁性顔料粒子（Ｐ、Ｐ１）が前記第１の曲面に従って配向され、前記基材の上部から磁石を適用することで、磁性顔料粒子（Ｐ、Ｐ２）が前記第２の曲面に従って配向されるか、またはその逆が行われる、請求項１５〜２８のいずれか一項に記載の方法。
【請求項３０】
商品を保護するため、あるいは銀行券、有価証券、パスポート、身分証明書、銀行カード、クレジットカード、アクセス書類またはカード、交通機関の切符またはカード、タックスバンダロール、ならびに製品ラベルからなる群から選択されるセキュリティ文書を保護するための、請求項１〜１４のいずれか一項に記載の機構の使用。
【請求項３１】
商品、ならびに銀行券、有価証券、パスポート、身分証明書、銀行カード、クレジットカード、アクセス書類またはカード、交通機関の切符またはカード、タックスバンダロール、ならびに製品ラベルからなるセキュリティ文書の群から選択される物品であって、請求項１〜１４のいずれか一項に記載の１つ以上の機構を有することを特徴とする物品。
【発明の詳細な説明】
【技術分野】
【０００１】
本発明は、銀行券、有価証券、または一般に物品を保護するための機構の分野にある。本発明は、配向顔料粒子を含む印刷画像に関する。本発明による画像は、傾斜させると動的視覚的運動効果を示し、それによって、画像の一部が残りの部分とは異なる面内で動いているように見える。
【背景技術】
【０００２】
傾斜させることによって視覚的運動効果を示す文書保護用機構が、Ｓｔｅｅｎｂｌｉｋらによって米国特許第７，７３８，１７５号明細書に開示されている。前記機構は、プラスチック箔などの中に埋め込まれたレンズ状配列を含み、この配列は、たとえば前記箔を文書に取り付けることによって文書上にマイクロ印刷された表示と関連している。
【０００３】
視覚的運動または「３次元」光学的効果を示す文書保護用の別の種類の機構が、米国特許出願公開第２００４／００５１２９７号明細書、ならびに対応する国際出願の国際公開第２００４／００７０９５号パンフレット、および国際公開第２００８／００９５６９号パンフレットに開示されている。これらの効果は、配向顔料粒子を含む表面コーティングに基づいており、顔料粒子の配向はコーティングされた表面全体で徐々に変化する。
【０００４】
国際公開第２００４／００７０９５号パンフレットによると、「フリップ・フロップ」効果（図１ａ）と呼ばれる第１の視覚効果は、コーティング全体で正の（すなわち観察者に向かう）曲面を模倣した顔料の配向に基づいている。観察者は、正反射ゾーンを見ると、傾斜による回転方向と同じ動きが生じる。国際公開第２００４／００７０９５号パンフレットによると、「ローリング・バー」効果（図１ｂ）と呼ばれる第２の視覚効果は、コーティング全体で負の（すなわち観察者から離れる）曲面を模倣する顔料の配向に基づいている。観察者が正反射ゾーンを見ると、傾斜による回転方向とは逆の動きが生じる。
【０００５】
米国特許出願公開第２００４／００５１２９７号明細書の一部継続出願である米国特許出願公開第２００５／０１０６３６７号明細書には、「二重ローリング・バー」がさらに開示されている。文書を傾斜させると、２つの「ローリング・バー」が、互いに動くように見える。「二重傾斜」特徴も開示されており、文書を傾斜させると、明るいゾーンが、文書のある部分から別の部分に切り替わる。
【０００６】
本発明者らは、米国特許出願公開第２００５／０１０６３６７号明細書に概略が示される原理を拡張させることにより、基材上の複数の第１のおよび第２の隣接するゾーンへの第１のおよび第２のコーティングの組み合わせの塗布を、前記第１のコーティングは配向顔料粒子を含み、その配向が第１の曲面を模倣し、前記第２のコーティングは配向顔料粒子を含み、その配向が第２の曲面を模倣するように行うことによって、動的視覚的運動効果を示す機構を得ることができ、前記第１のゾーンによって示される画像と、前記第２のゾーンによって示される画像とが、基材を傾斜させたときに空間中の異なる面内で動くように見えることを発見した。この動的視覚的運動効果は、見る角度を変化させることによって認識でき、前記特定の顔料の配向を有するコーティングの第１のおよび第２のゾーンの前記組み合わせによって示される、視差をシミュレートしたある種の光学的錯覚である。この機構は、銀行券、有価証券、身分証明書、または一般に認証が必要なあらゆる物品を保護するためのセキュリティエレメントまたはセキュリティフィーチャーとして有用である。
【０００７】
本明細書において、「セキュリティエレメント」または「セキュリティフィーチャー」は、その信憑性を判断し、偽造から保護するための、銀行券または別のセキュリティ文書上の要素を示すものとする。
【発明の概要】
【課題を解決するための手段】
【０００８】
したがって、本発明による機構は、基材（Ｓ）と、前記基材（Ｓ）上の、透明バインダー（Ｍ１、Ｍ２）中に配向顔料粒子（Ｐ１、Ｐ２）を含む第１（ｌ）および第２（２）の硬化コーティングの複数の集合的に見ることができるゾーンとを含み、前記第１（１）の硬化コーティングは、第１の曲面を模倣する顔料配向を有し、前記第２（２）の硬化コーティングは、前記第１の曲面とは異なる第２の曲面を模倣する顔料配向を有し、機構を通過する直線区域に沿って、前記第２（２）の硬化コーティングの少なくとも１つのゾーンが、前記第１（１）の硬化コーティングの２つのゾーンの間に隣接して配置されることを特徴とする。
【０００９】
機構を通過する直線区域に沿って第１、第２、および再び第１などのコーティングが視覚的に連続して見える場合に、第１（１）および第２（２）の硬化コーティングの前記ゾーンが、機構を通過する直線区域に沿ったゾーンであると、本明細書において理解される。他方、基材上で、前記第１および前記第２の硬化コーティングは、図６ｂに示される、撚り合わされた「かたつむり」構造などの任意の形状の領域として存在することができ、第１および第２のコーティングのそれずれ１つのみの領域を含むが、撚り合わせによって直線区域に沿って連続したより多い数の第１および第２のゾーンが得られる。本発明の効果は、これらのゾーンが一体となった領域を形成してもしなくても、第１および第２のコーティングのいくつかの交互に並ぶゾーンの組み合わせを見ることで顕著に実現される。
【００１０】
前記第１および前記第２のコーティングは、さらに、互いに並んでおよび／または互いの上部に配置されてよい。「互いに並んで」は、材料コーティングが、実質的な量の介在空間が存在せずに隣接または視覚的に隣接していることを意味する。しかし、「視覚的な隣接」を妨害しない余白または分離線などのわずかな量の介在空間が、「互いに並んだ」状態において依然として含まれるものとする。
【００１１】
コーティングは、硬化状態で存在し、それぞれの位置および配向が固定された配向粒子を有する。
【００１２】
本明細書において「曲面を模倣する」は、個別の顔料粒子、特に顔料フレークが、硬化した平坦なコーティング層中で、前記曲面上への粒子の投影位置における前記曲面への接平面に対応する配向を有することを意味する。図２ａ、２ｂは、それぞれ負および正の曲面で、コーティング中の顔料配向がどのように各曲面を模倣しているかを示している。
【００１３】
本明細書において「集合的に見ることができる」は、複数の第１および第２のゾーンを、１つの組み合わせとして見ることができ、それによって本発明の効果が得られることを意味する。
【００１４】
本明細書において「隣接して配置される」は、目に見えるゾーンが、実質的な量の介在空間が存在せずに隣接または視覚的に隣接していることを意味する。しかし、「視覚的な隣接」を妨害しない余白または分離線などのわずかな量の介在空間が、「隣接して配置された」状態において依然として含まれるものとする。
【００１５】
本明細書の状況において「透明の」は、「透明の」品目が、４００ｎｍ〜７００ｎｍの波長範囲内で少なくとも１つの開いたスペクトル窓を有し、それを通して人間の観察者が見ることができることを意味するものとする。
【００１６】
本明細書の状況において「磁石」は、多極電磁石であってよい１つの磁石、または磁化単位を形成する複数の磁石の組立体を意味するものとし；本明細書において１つの磁石は永久磁石または電磁石であってよく；さらに、１つの磁石は、磁化単位内に静止して固定されていてもよいし、あるいは、磁化単位に対して、およびコーティングに対して動的に移動可能、たとえば回転可能であってもよく、コーティングの顔料粒子は磁気的に配向する。特定の磁気配向パターンは、顔料粒子が磁気的に配向するコーティングに対する磁石の回転またはその他の相対運動によってのみ顕著に形成されうる。
【００１７】
前記第１および前記第２のゾーンの間の境界は、直線である必要はなく；前記境界は、実際にあらゆる形態または形状であってよい。前記第２のゾーンも、特に前記第１のゾーンに取り囲まれたあらゆる形態または形状であってもよく、その逆であってもよい。
【００１８】
本発明による機構の特に好ましい一実施形態においては、機構を通過する直線区域に沿って、前記第２（２）の硬化コーティングの少なくとも１つゾーンが、前記第１（１）の硬化コーティングの２つのゾーンの間に隣接して配置されることに加えて、前記第１（１）の硬化コーティングの前記２つのゾーンの少なくとも１つが、前記第２（２）の硬化コーティングの２つのゾーンの間に隣接して配置される。機構を通過する前記直線区域に沿って連続する少なくとも２つの第１のゾーンおよび２つの第２のゾーンによって画定される機構では、空間内の第１および第２の面の前記動的効果がより十分に示される。さらにより好ましくは、空間内の第１および第２の面の完全な光学的錯覚を得るために、本発明の機構は、直線区域に沿って、前記第１（１）の硬化コーティングの３つ以上のゾーン、および／または前記第２（２）の硬化コーティングの３つ以上のゾーンが交互に隣接するパターンを有する。
【００１９】
本発明による機構中の前記第１および前記第２の曲面は、以下の性質の少なくとも１つが互いに異なる必要がある：ｉ）観察者に向かう正、または観察者から離れる負であってよい湾曲の符号；ｉｉ）大きいまたは小さい値であってよい湾曲の量；ｉｉｉ）湾曲の方向または軸；ｉｖ）特に円筒形、円錐形、楕円形、球形、または鞍形であってよい湾曲の性質。
【００２０】
前記曲面の頂点の位置は、便宜的に選択することができ、たとえば正および負の湾曲の円筒形曲面が、それぞれコーティング（ｌ）およびコーティング（２によって得られる場合、交互のゾーンは、すべての頂点が重なって、たとえば交互の正および負の湾曲の「チャネル」を形成するように位置合わせすることができる。あるいは、「波形」構造を形成するように頂点が横または斜めの方向に見えるように、複数のゾーンを配置することもできる。特に、あらゆる空間的配置を使用できる。
【００２１】
第１のコーティングのゾーン中の画像の、第２のコーティングの隣接して配置されるゾーン中の画像に対する相対的な動き、すなわち動的運動効果が、機構を傾斜させることで明確に観察できるように、第１および第２の曲面の前記組み合わせにおいて、それぞれの湾曲が互いに十分異なる必要がある。
【００２２】
本発明による機構の基材は、あらゆる好適な基材材料から選択することができ、特に好ましいものは、紙基材、不透明または不透明化したポリマー基材、透明ポリマー基材、あるいは金属または好ましくは金属化箔などの金属製基材である。
【００２３】
透明基材の場合、前記第１（１）および前記第２（２）の硬化コーティングは、さらに、基材のそれぞれ表側および裏側の上に配置することができる。
【００２４】
前記第１および／または前記第２の硬化コーティングは、さらに、単純な幾何学的図形またはパターン、文字、文章、ロゴ、および画像からなる群から選択される表示の形態で存在することができる。単純な幾何学的図形またはパターンの例としては、「破断した棒」（図７）または「市松模様」のパターンが挙げられる。
【００２５】
より高度な一実施形態においては、前記第１および／または前記第２のコーティングが文章またはロゴまたは画像などの表示の形態で存在し；たとえば第２の表示を表す第２の細線のコーティングを、第１の表示を表す第１の太線のコーティングの上に塗布することができる。機構を傾斜させることによって、前記第１および第２の表示が互いに対して動いて見え、それによってこれらが空間内の異なる面内に属するように視覚的に認識され、視差をシミュレートすることによって動的な３次元的な深さの効果が得られる。
【００２６】
前記第１および前記第２のコーティングが空間内の異なる面内に属するという視覚認識は、前記第１および第２のコーティング中での異なる色の選択および異なる顔料の使用によってさらに強めることができる。
【００２７】
個別のコーティング中の顔料粒子は、特に、１次元的曲面（たとえば円筒系または円錐形表面）、または２次元的曲面（たとえば球形、楕円形、鞍形の表面）に従って配向させることができる。２次元的曲面の場合、第１および第２の寸法における湾曲は、注目すべきこととして、異なっていてよい（たとえば楕円形曲面または鞍形表面）。２次元的に湾曲した顔料配向では、あらゆる方向での観察および傾斜で、動的な３次元的深さの効果を得ることができるという利点を有する。１次元的に湾曲した顔料配向の場合、動的深さ効果は好ましい観察方向および傾斜方向に限定される。
【００２８】
顔料粒子の配向は、国際公開第２００４／００７０９５号パンフレット、国際公開第２００５／００２８６６号パンフレット、国際公開第２００８／００９５６９号パンフレット、または国際公開第２００８／０４６７０２号パンフレットによって周知のように、顔料粒子を含有するコーティング組成物の塗布中または塗布後に対応する構造の磁界を印加することによって最も容易に行われる。
【００２９】
このためには、顔料粒子は、磁性を有する必要があり、これは顔料粒子が、永久磁石または磁化可能な材料、すなわち強磁性またはフェリ磁性型の硬磁性材料または軟磁性材料を含む必要があることを意味する。
【００３０】
前記第１および／または前記第２の硬化コーティング中の配向顔料粒子は、好ましくはフレーク状の真空蒸着された磁性薄膜干渉顔料粒子を含む群から選択される。
【００３１】
前記第１および／または前記第２の硬化コーティング中の好ましい配向顔料粒子（Ｐ）は、光学的に変化する磁性顔料粒子である。
【００３２】
最も好ましい顔料は、米国特許第４，８３８，６４８号明細書および国際公開第０２／０７３２５０号パンフレットに開示されている種類の光学的に変化する磁性顔料フレークなどの真空蒸着された光学的に変化する磁性薄膜干渉顔料。
【００３３】
本発明を具体化するためのコーティング組成物（Ｃ１、Ｃ２）は、国際公開第２００７／１３１８３３号パンフレットにより配合することができる。これらは、好ましくは、シルクスクリーン印刷、フレキソ印刷、およびグラビア印刷の群から選択される印刷方法のために配合され、それらの印刷方法によって塗布される。
【００３４】
顔料粒子を配向させた後、コーティング組成物を硬化させ、それによって顔料粒子を含有する透明バインダー中で顔料粒子の配向および位置を固定する。放射線硬化、すなわちＵＶ硬化または電子ビーム硬化によって塗布された組成物が瞬間的に固化（硬化）することが最も好ましい。本明細書において用語「ＵＶ硬化」は、スペクトルの紫、青、および緑の範囲内の短波可視光による硬化をも含むことを意味するものとする。
【００３５】
顔料粒子が異なる曲面に従って配向して固体透明バインダー中に配向顔料粒子を含むコーティングの３つ以上の異なる領域を基材に取り付けることができ、この機構は、注目すべきは、互いに並んだ、および／または互いの表面上のコーティングの複数の領域を含むことができ、コーティイングされた表面の異なる領域を見ることができ、複数の前記曲面は、以下の性質の少なくとも１つが互いに異なる：ｉ）観察者に向かう正、または観察者から離れる負であってよい湾曲の符号；ｉｉ）大きいまたは小さい値であってよい湾曲の量；ｉｉｉ）湾曲の方向または軸；ｉｖ）特に円筒形、円錐形、楕円形、球形、または鞍形であってよい湾曲の性質。
【００３６】
透明ポリマー基材（窓、ならびにセキュリティスレッドまたはストライプに使用される場合）の場合、透明基材の同じ側または異なる側のいずれかで第１および第２のコーティングの前記組み合わせを塗布することによって、興味深い相補的効果を得ることができる。前記第１および前記第２のコーティングは、さらに、互いに部分的に重なっていてもよい。
【００３７】
前記第１および第２のコーティングと、配向顔料粒子を含有し、互いに並んでおよび／または互いの表面上に塗布された少なくとも１つのさらなるコーティングとの組み合わせがさらに興味深い。
【００３８】
前記第１のコーティングは、たとえば、基材を通して下から見ることができる、透明基材上の第１の細い線の表示を表すことができ；前記第２のコーティングは、たとえば、下から見ても上から見ても太線の背景を表すことができ、前記さらなるコーティングは、たとえば、基材の上から見ることができる第２の細線表示を表すことができる。
【００３９】
前記第１および／または前記第２の硬化コーティングは、全誘電体または金属−誘電体界面設計を有する真空蒸着された光学的に変化する薄膜干渉顔料、コーティングされた金属コア粒子、コーティングされた誘電体粒子、コレステリック液晶ポリマー顔料、エンボス加工されたホログラフィック顔料、およびそれらの混合物からなる群から選択される少なくとも１つのさらなる追加のカラーシフト顔料をさらに含むことができる。
【００４０】
前記第１および／または前記第２の硬化コーティングは、染料、および／または、金属顔料、減法混色が得られる顔料、加法混色が得られる顔料、非カラーシフト干渉顔料、およびそれらの混合物からなる群から選択することができる少なくとも１つのさらなる非カラーシフト顔料をさらに追加に含むことができる。
【００４１】
本発明による機構は、光学的に変化する顔料を含む組成物がコーティングされた領域と、光学的に変化する顔料を含まない組成物がコーティングされた領域との組み合わせをさらに含むことができる。
【００４２】
本発明による機構の製造方法であって、透明バインダー（Ｍ１、Ｍ２）中に顔料粒子（Ｐ１、Ｐ２）を含む第１（Ｃ１）および第２（Ｃ２）のコーティング組成物の複数の領域を基材（Ｓ）に塗布するステップと、第１の曲面を模倣するように、前記塗布された第１（Ｃ１）のコーティング組成物中の顔料粒子（Ｐ１）を配向させるステップと、前記第１の曲面とは異なる第２の曲面を模倣するように、前記塗布された第２（Ｃ２）のコーティング組成物中の顔料粒子（Ｐ２）を配向させるステップと、前記第１および前記第２のコーティング組成物を硬化させて、それぞれの位置および配向で固定された配向粒子を有する第１および第２の硬化コーティング（１、２）を得るステップとを含み、機構を通過する直線区域に沿って、前記第２（２）の硬化コーティングの少なくとも１つのゾーンが、前記第１（１）の硬化コーティングの２つのゾーンの間に隣接して配置されるように、第１（Ｃ１）および第２（Ｃ２）のコーティング組成物の前記領域が塗布される方法がさらに開示される。
【００４３】
この方法の一変形においては、さらに、前記第１（１）の硬化コーティングの前記２つのゾーンの少なくとも１つが、前記第２（２）の硬化コーティングの２つのゾーン内に隣接して配置されるように、第１（Ｃ１）および第２（Ｃ２）のコーティング組成物の前記ゾーンが塗布される。
【００４４】
前記第１および前記第２の曲面は、以下の性質の少なくとも１つが互いに異なる：ｉ）観察者に向かう正、または観察者から離れる負であってよい湾曲の符号；ｉｉ）大きいまたは小さい値であってよい湾曲の量；ｉｉｉ）湾曲の方向または軸；ｉｖ）特に円筒形、円錐形、楕円形、球形、または鞍形であってよい湾曲の性質。
【００４５】
前記基材（Ｓ）は、好ましくは、紙基材、不透明または不透明化したポリマー基材、透明ポリマー基材、ならびに金属製基材からなる群から選択される。
【００４６】
前記第１および前記第２のコーティングのそれぞれは、好ましくは、シルクスクリーン印刷、フレキソ印刷、およびグラビア印刷から選択される印刷方法によって、選択された印刷方法に適合するように配合されたコーティング組成物を使用して塗布される。
【００４７】
特に好ましい一実施形態においては、前記第１および第２のコーティングの少なくとも１つが、米国特許第４，８３８，６４８号明細書および国際公開第０２／０７３２５０号パンフレットに開示されている種類の光学的に変化する磁性顔料を含む。光学的に変化する磁性顔料を使用することで、補助的なセキュリティフィーチャーとして見る角度に依存するカラーシフト特性を組み込むことができる。
【００４８】
コーティング組成物は、好ましくは、ＵＶ硬化および電子線硬化から選択される放射線硬化が起こるように配合され、それによって硬化する。
【００４９】
特定の一実施形態においては、前記第１および前記第２のコーティング組成物（Ｃ１、Ｃ２）を、透明基材（Ｓ）の表側および裏側のそれぞれに塗布することができる。
【００５０】
前記第１および前記第２のコーティング組成物（Ｃ１、Ｃ２）中の前記顔料粒子（Ｐ１、Ｐ２）は、好ましくは、強磁性またはフェリ磁性型の永久磁石材料または磁化可能な材料を含む磁性顔料粒子であり、前記塗布された第１および第２のコーティング組成物（Ｃ１、Ｃ２）中の顔料粒子（Ｐ１、Ｐ２）の前記配向は、磁界を印加することによって対応して行われる。
【００５１】
前記第１および／または前記第２のコーティング組成物（Ｃ１、Ｃ２）中の前記顔料粒子（Ｐ１、Ｐ２）は、好ましくは、フレーク状の真空蒸着された磁性薄膜干渉顔料粒子を含む群から選択される。
【００５２】
最も好ましくは、前記第１および／または前記第２のコーティング組成物（Ｃ１、Ｃ２）中の前記顔料粒子（Ｐ１、Ｐ２）は、光学的に変化する磁性顔料粒子である。
【００５３】
第１の硬化コーティング（１）は、第２の硬化コーティング（２）の後に、形成、すなわち塗布し、配向させ、硬化させることができるし、その逆も可能である。コーティング（１、２）を後で形成することで、互いの上部にコーティングを塗布できるという利点が得られる。透明バインダー（Ｍ１、Ｍ２）中に顔料粒子（Ｐ１、Ｐ２）を含むコーティング組成物の塗布、配向、および硬化のステップを自由に繰り返すことで、前記基材（Ｓ）および／または前記コーティング（１、２）の上にさらにコーティングを形成することができる。
【００５４】
本発明の方法の特定の一実施形態においては、第１の硬化コーティング（１）および第２の硬化コーティング（２）は、
ａ）磁性顔料粒子または磁化可能な顔料粒子（Ｐ）を含むコーティング組成物（Ｃ）を基材（Ｓ）上に塗布するステップと；
ｂ）第１の磁界を印加することによって前記第１の曲面に従って前記磁性顔料粒子または磁化可能な顔料粒子（Ｐ）を配向させるステップと；
ｃ）第１の領域（Ａ１）中で前記塗布したコーティング組成物（Ｃ）を選択的に硬化させ、これによって磁性顔料粒子（Ｐ）をそれらの位置および配向で固定するステップと；
ｄ）第２の磁界を印加することによって前記第２の曲面に従ってコーティング組成物（Ｃ）の未硬化部分の前記磁性顔料粒子または磁化可能な顔料粒子（Ｐ）を配向させるステップと；
ｅ）第２の領域（Ａ２）で前記塗布したコーティング組成物（Ｃ）を硬化させ、これによって磁性顔料粒子（Ｐ）をそれらの位置および配向で固定するステップと、
の以上の順序のステップによって１回の作業で形成される。
【００５５】
１回の作業でコーティング（１、２）を形成することで、１つのインク組成物を印刷して、完全な位置合わせで前記ゾーンを形成できるという利点が得られる。
【００５６】
本発明の方法の特定の一実施形態においては、図５に示されるように、基材の底部から第１の時間で磁石を適用することで、磁性顔料粒子（Ｐ、Ｐ１）が前記第１の曲面に従って配向され、基材の上部から第２の時間で磁石を適用することで、磁性顔料粒子（Ｐ、Ｐ２）が前記第２の曲面に従って配向されるか、またはその逆が行われる。
【００５７】
本発明による機構は、銀行券、有価証券、パスポート、身分証明書、銀行カード、クレジットカード、アクセス書類またはアクセスカード、交通機関の切符またはカード、タックスバンダロール（ｔａｘ  ｂａｎｄｅｒｏｌｅ）、製品ラベルなどのセキュリティ文書の保護のためのセキュリティエレメント、ならびに商品のためのセキュリティエレメントとして使用できる。
【００５８】
本発明による１つ以上の機構を有する、銀行券、有価証券、パスポート、身分証明書、銀行カード、クレジットカード、アクセス書類またはアクセスカード、交通機関の切符またはカード、タックスバンダロール、製品ラベル、または商品などのセキュリティ文書も開示される。
【００５９】
これより、説明的図面および実施例を用いて本発明をさらに説明する。
【図面の簡単な説明】
【００６０】
【図１ａ】視覚的な「フリップ・フロップ」効果を得るための先行技術の顔料配向を概略的に示している。
【図１ｂ】視覚的な「ローリング・バー」効果を得るための先行技術の顔料配向を概略的に示している。
【図２ａ】負の曲面および正の曲面のそれぞれで、コーティング層（２）中の顔料フレーク（ｌ）がどのようにして、コーティング中の配向によって曲面（３）を模倣しているかを示している。
【図２ｂ】負の曲面および正の曲面のそれぞれで、コーティング層（２）中の顔料フレーク（ｌ）がどのようにして、コーティング中の配向によって曲面（３）を模倣しているかを示している。
【図３】ａ）は本発明の機構の第１の実施形態を概略的に示しており、基材（Ｓ）上の第１の硬化コーティング（１）の２つのゾーンの間に隣接して配置される第２の硬化コーティング（２）のゾーンを有する。第１のおよび第２のコーティングは、透明バインダー（Ｍ）中の配向顔料粒子（Ｐ）を含む。ｂ）は本発明の機構の第２の実施形態を概略的に示しており、基材（Ｓ）上で、透明バインダー（Ｍ２）中に配向顔料粒子（Ｐ２）を含む第２の硬化コーティング（２）のより小さな領域が、透明バインダー（Ｍ１）中に配向顔料粒子（Ｐ１）を含む第１の硬化コーティング（１）のより大きな領域の上に塗布されており、それによって前記第１の（１）コーティングが、前記第２の（２）コーティングの２つのゾーンの間に隣接して配置されているように見える。ｃ）は本発明の機構の第３の実施形態を概略的に示しており、前記第１（１）および前記第２（２）の硬化コーティングが部分的に互いに重なっている。
【図４】「市松模様」構造を有する本発明の機構を通過する直線断面を概略的に示しており：ａ）複数の第１（ｌ）および第２（２）のコーティングが互いに隣接して基材（Ｓ）上に配置されている第１の実施形態であり；ｂ）基材（Ｓ）上の１つの第１のコーティング（１）の上に印刷された複数の第２のコーティング（２）を有することで、前記第１（１）および第２（２）のコーティングが互いに隣接して配置されているように見える第２の実施形態であり；ｃ）平坦な透明基材（Ｓ）の表側に塗布された複数の第１のコーティング（１）と、平坦な透明基材（Ｓ）の裏側に塗布された複数の第２のコーティング（２）とを有することで、前記第１（１）および第２（２）のコーティングが互いに隣接して配置されているように見える第３の実施形態であり；ｄ）図４ｃの実施形態と類似しており、前記第１の（１）および前記第２（２）のコーティングが部分的に互いに重なっている第４の実施形態である
【図５】それぞれ第１および第２の曲面に従って、第１（１）および第２（２）のコーティング中の磁気的に配向可能な顔料粒子を配向させるための同じ種類の磁石または磁界の使用を概略的に示しており：（１）負の曲面を模倣した顔料配向を得るために基材／コーティングの下から使用し、（２）正の曲面を模倣した顔料配向を得るために基材／コーティングの上から使用している。
【図６】本発明による機構の写真画像を示しており、ａ）垂直方向の画像（左画像）およびｂ）斜め（傾斜した）画像（右画像）である。機構を傾斜させると、「かたつむり」が背景の面から浮き上がって見える。
【図７】本発明による「破断した棒」型の機構を概略的に示している。第２の曲面を模倣する第２のコーティングの１つのゾーンが、第１の曲面を模倣する第１のコーティングの２つのゾーンの間に隣接して配置されている。機構を傾斜させることによって（上、下）、前記第１および第２のゾーンが、空間中の異なる面内で互いに動いているように見える。ａ）負の円筒形湾曲の２つのゾーンの間に配置された正の円筒形湾曲の１つのゾーンを示しており、「波形」構造を形成するように頂点が位置合わせされている。ｂ）正の円筒形湾曲の２つのゾーンの間に配置された負の円筒形湾曲の１つのゾーンを示している、「チャネル」構造を形成するように頂点が位置合わせされている。ｃ）負の円筒形湾曲の２つのゾーンの間に配置された正の円筒形湾曲の１つのゾーンを示している、「チャネル」構造を形成するように頂点が位置合わせされている。ｄ）図７ｃ）の種類の機構の顔料配向を示している。ｅ）図７ａ）の種類の機構のさらなる拡張を示している。
【図８】本発明の機構のさらなる一実施形態を概略的に示しており、第１および第２のコーティングが表示の形態で現れ：ａ）負の湾曲の背景層；ｂ）正の湾曲の第２のオーバープリント層（細切れ部分が印刷される）；ｃ）背景層と第２の層との重ね合わせ；ｄ）傾斜させることで重ね合わせによって表示される「二重ローリング・バー」効果：文字「Ａ」の明るいゾーンが傾斜の回転方向と同じ方向に動き；文字「Ｂ」の明るいゾーンが傾斜の回転方向と逆方向に動く。
【発明を実施するための形態】
【００６１】
非限定的な実施例および図面を参照することによって、本発明をさらに説明する。
【実施例】
【００６２】
実施例１
欧州特許第２  ０２４  ４５１  Ｂ１号明細書の実施例２ａに記載されるような小板状で光学的に変化する磁性顔料粒子を含有するシルクスクリーンＵＶ乾燥インクを用いて、コットン系の紙のシート上に、図７ｃに示されるように、１０ｍｍ離して印刷して、第１のコーティング（ｌ）をそれぞれ１００ｍｍ２の２つの正方形のゾーンの形態で塗布する。インクがまだ濡れているときに、前記２つのゾーン中の前記小板状磁性粒子を配向させるために磁界を使用する。前記粒子の配向に使用される磁界は、前記コーティング（１）の反対側の基材上で、基材の３ｍｍ下に配置した１つの永久磁石（ストロンチウムフェライト、１０ｍｍ×１０ｍｍ×４０ｍｍ）を用いて、磁石の分極軸が基材に対して平行で、前記２つのゾーンのそれぞれの中央を結んだ想像線に対して垂直になるようにして発生させ、それによって本発明による負に湾曲した反射面が形成される。配向させた後、前記２つのゾーンは、１つの光沢のある中実の金属製円柱の２つの部分と類似した外観で光を反射する。コーティング（１）中のインクをＵＶ照射下で硬化させることで、反射により色が変化するフレークの配向が永久的に固定される。同じインク組成物を使用して、第２のコーティング（２）を塗布して、前記第１の２つのゾーンの間に配置された１００ｍｍ２の第３のゾーンを形成する。この第２のコーティングは、基材上でまだ濡れている状態で、コーティング（２）と同じ側の基材表面から３ｍｍ上の位置で前記磁石で発生させた磁界を印加することで、本発明による正に湾曲した反射面が形成される。フレーク状顔料を配向させると、前記ゾーンは、中空の金属製円筒の内面と同様に見えるように光を反射する。前記第２のコーティングを紫外線照射下で硬化させ、反射性フレークの配向を永久的に固定させる。実施例１は、印刷を後方に傾けると、コーティング１の２つのゾーンから生じる反射による下方向の動きと、コーティング２の１つのゾーンから生じる反射の上方向への同時の動きとを特徴とする際立った視覚効果を示す。ここで、後方への傾斜は、３つすべての印刷ゾーンを通過する基材の面内にある軸に対する、基材の上部が観察者から離れ、基材の底部が観察者に近づくような印刷基材の回転を意味する。
【００６３】
実施例２
欧州特許第２  ０２４  ４５１  Ｂ１号明細書の実施例３に記載されるような小板状で光学的に変化する磁性顔料粒子を含有するシルクスクリーンＵＶ乾燥インクを用いて、透明ポリマー基材のシート上に、図７ｅに示されるように、１０ｍｍ離して印刷して、第１のコーティング（ｌ）をそれぞれ１００ｍｍ２の２つの正方形のゾーンの形態で塗布する。インクがまだ濡れているときに、前記２つのゾーン中の前記小板状磁性粒子を配向させるために磁界を使用する。前記粒子の配向に使用される磁界は、２つ永久磁石（ストロンチウムフェライト、１０ｍｍ×１２ｍｍ×２４ｍｍ）を、互いに２０ｍｍ離して、基材の３ｍｍ下に配置し、すなわちコーティング（１）とは反対側の基材の面上に配置し、それぞれの磁石の分極軸が、基材に対して平行で、前記２つのゾーンのそれぞれの中央を結んだ想像線に対して平行となるようにして発生させ、それによって、コーティング（１）が印刷された側から見た場合に本発明による負に湾曲した反射面が形成される。したがって、フレーク状顔料を配向させると、前記２つのゾーンのそれぞれが、１つの光沢のある中実の金属製円柱と類似した外観で光を反射する。コーティング（１）中のインクをＵＶ照射下で硬化させることで、反射により色が変化するフレークの配向が永久的に固定される。同じインク組成物を使用して、図７ｅに示されるように、前記第１の２つのゾーンの一方の上および下に配置される１００ｍｍ２の第２の組の２つのゾーンを形成するために、第１のコーティングとは基材の反対側に第２のコーティング（２）を塗布する。この第２のコーティングは、基材上でまだ濡れている状態で、コーティング（２）と反対側の基材表面から３ｍｍ下の位置で前記２つの磁石の組で発生させた磁界を印加することで、コーティング（１）を印刷した側から観察して、本発明による正に湾曲した反射面が形成される。配向後、各ゾーンが中空の金属製円筒の内面と同様に見えるように前記ゾーンが光を反射する。前記第２のコーティングを紫外線照射下で硬化させ、反射性フレークの配向を永久的に固定させる。コーティング（１）を印刷した側から観察すると、実施例２は、印刷を後方に傾けると、コーティング１の２つのゾーンから生じる反射による下方向の動きと、コーティング（２）の２つのゾーンから生じる反射の上方向への同時の動きとを特徴とする際立った視覚効果を示す。ここで、後方への傾斜は、印刷面の中央を通過し４つの印刷ゾーンの中央を結んだ想像線に対して垂直な基材の面内にある軸に対する、基材の上部が観察者から離れ、基材の底部が観察者に近づくような印刷基材の回転を意味する。コーティング（２）が印刷された側から観察すると、それぞれの明るい反射の見掛けの動きが逆になる。
【００６４】
実施例３
図６に示される実施例３は、配向可能な反射性フレークを含有するインク組成物を用いて印刷した２つの領域を含む。欧州特許第２  ０２４  ４５１  Ｂ１号明細書の実施例２ａに記載されるような小板状で光学的に変化する磁性顔料粒子を含有するシルクスクリーンＵＶ乾燥インクを用いて、コットン系の紙のシート上に印刷される直径２９ｍｍの中実円形領域の形態で、第１のコーティング（１）が塗布される。インクがまだ濡れているときに、前記領域中で前記小板状磁性粒子を配向させるために、空間周期的な磁界を使用する。前記粒子の配向に使用される磁界は、基材の１．５ｍｍ上に配置された平坦な多極磁石装置によって発生させ、それによって本発明による正に湾曲した反射面が形成される。構成される磁性顔料をこのように配向させると、前記ゾーンは、光沢のある波形の鉄板の表面と同様に光を反射する。コーティング（１）中のインクをＵＶ照射下で硬化させることで、反射により色が変化するフレークの配向が永久的に固定される。前記第１の円形領域内に実質的に配置される領域を覆うために、同じインク組成物を用いて第２のコーティング（２）を塗布して、広いらせん形状を形成する。前記形状中のコーティング（２）の塗布によって、コーティング（１）およびコーティング（２）の中で複数のゾーンを形成する効果が得られる。前記第２のコーティングは、硬化コーティング（１）の表面上でまだ濡れている状態で、コーティング（２）と同じ側の基材の表面から１．５ｍｍ下に配置された前記磁石装置によって発生される周期的磁界を印加することで、本発明による負に湾曲した反射面が形成される。構成される磁性顔料をこのように配向させると、前記第２のゾーンは、光沢のある波形の鉄板の表面と同様に光を反射する。前記第２のコーティングをＵＶ照射下で硬化させることで、反射性フレークの配向が永久的に固定される。実施例３は、印刷を後方に傾けると、コーティング（１）中のすべてのゾーンから生じる反射の下方向の動きと、コーティング（２）のすべてのゾーンから生じる反射の上方向の同時の動きとを特徴とする際立った視覚効果を示す。
【図２ａ】
0006051432.tif 000002
【図２ｂ】
0006051432.tif 000003
【図３ａ）】
0006051432.tif 000004
【図３ｂ）】
0006051432.tif 000005
【図３ｃ）】
0006051432.tif 000006
【図４ａ）】
0006051432.tif 000007
【図４ｂ）】
0006051432.tif 000008
【図４ｃ）】
0006051432.tif 000009
【図４ｄ）】
0006051432.tif 000010
【図５】
0006051432.tif 000011
【図６】
0006051432.tif 000012
【図１ａ】
0006051432.tif 000013
【図１ｂ】
0006051432.tif 000014
【図７】
0006051432.tif 000015
【図８】
0006051432.tif 000016